(57)【要約】      （修正有）【課題】安価に製作でき、コードの収納並びに開放が簡単で、ヘッド及びプラグも保護することができるイヤホン保持具を提供する。【解決手段】イヤホンＹを保持するイヤホン保持具Ｘに於いて、一端開口２の収納部３が弾性筒体或いは弾性袋体のいずれかに形成され、該弾性筒体或いは弾性袋体の周壁１に、少なくとも前記イヤホンのヘッド用差し込み部４を形成し、該イヤホンのヘッド用差し込み部に一対のヘッド１１を差し込み、かつ前記周壁の外側で、イヤホンのコード１３を束ねるようにして周壁の収納部に入れる。【選択図】図８
0003204042.tif 000002
【実用新案登録請求の範囲】
【請求項１】
イヤホンを保持するイヤホン保持具に於いて、一端開口の収納部が弾性筒体或いは弾性袋体のいずれかに形成され、該弾性筒体或いは弾性袋体の周壁に、少なくとも前記イヤホンのヘッド用差し込み部を形成し、該イヤホンのヘッド用差し込み部に一対のヘッドを差し込み、かつ前記周壁の外側で、前記イヤホンのコードを束ねるようにして前記周壁の収納部に入れるイヤホン保持具。
【請求項２】
請求項１に於いて、弾性筒体或いは弾性袋体のいずれかは、一端開口の反対側が有底であり、前記一端開口の直径は、少なくとも弾性筒体或いは弾性袋体の周壁の中央部のそれよりも小さいことを特徴とするイヤホン保持具。
【請求項３】
請求項１又は請求項２に於いて、弾性筒体或いは弾性袋体のいずれかの一端開口の端部に、該一端開口を閉じる方向に閉めつける紐状手段、或いは面状の雄雌係着手段、ホック式の雄雌係着手段のいずれかが設けられていることを特徴とするイヤホン保持具。
【請求項４】
請求項１に於いて、少なくとも、一対のヘッドを周壁の内部に差し込み部のスリットを介して挿入した時、前記一対のヘッドを収納する収納部分が、コードを収納する収納部分に対して区画されていることを特徴とするイヤホン保持具。
【請求項５】
請求項１又は請求項４に於いて、周壁に、少なくとも３個以上のスリットをそれぞれ分離して形成し、少なくとも左右一対のヘッドを、周壁の外側から各スリットをそれぞれ介して該周壁の内部としての収納部に入れることを特徴とするイヤホン保持具。
【考案の詳細な説明】
【技術分野】
【０００１】
本考案は、携帯端末、携帯録音器具等のポケットタイプ機器用イヤホンの一対のヘッド及びコードを収納することができるイヤホン保持具に関する。
【背景技術】
【０００２】
特許文献１の課題は、従来のイヤホンコード巻き付け収納具は、イヤホンのコードを剥き出しにしたまま保管するので、コードを痛めて電気的な接触不良を来す危険があることに着眼し、「イヤホンコードを収納構造にしてコードの破損を防ぎつつ、コードをコンパクトに巻きつけた状態で保管できるようにすること」である。このような課題認識に基づき、特許文献１の考案の解決手段は、「イヤホンコードの巻き付け具を内面に設けた状態で二つ折り又は環状に連結する軟質シートに、イヤホンコードのプラグを挿通するための切れ込みを開け、しかも前記軟質シートの端縁から切れ込みを入れて、イヤホンコードを狭持可能とするもの」である。
【０００３】
しかしながら、上記特許文献１の発明は、イヤホンコードを保護することができるという利点があるものの、巻き付け具は、溶着、接着、加締めなどの固着手段によって軟質シート内面に取り付け固定しなければならいので、製造コストがかかるという問題点がある。また、使用する際にはイヤホンコードを巻き付け具から取り外さなければならず、一方、収納する際には前記巻き付け具にイヤホンコードをループ状に巻付けなければならないので、取扱いが面倒であるという問題がある。
【先行技術文献】
【特許文献】
【０００４】
【特許文献１】特許第４７０５１８７号公報
【考案の概要】
【考案が解決しようとする課題】
【０００５】
本考案は特許文献１の欠点に鑑み、第１の目的は、特許文献１の問題点に鑑み、特許文献１の利点を生かしつつ、安価に製作できること、イヤホンのコードの収納並びに開放が簡単なこと、少なくともイヤホンの一対のヘッド（スピーカー）も保護することができることである。第２の目的は、ポケットに入れても嵩張らないことである。他の目的は、コードが開口から食み出ないようにすること、収納時、ヘッド及びプラグがコードの残余部（収納した部分）と絡まないこと等である。
【０００６】
本考案の前記ならびにそのほかの目的と新規な特徴は図面と照らし合わせて読むと、より完全に明らかになるであろう。ただし、図面はもっぱら解説のためのものであって、本考案の技術的範囲を限定するものではない。
【課題を解決するための手段】
【０００７】
上記目的を達成するために、本考案のイヤホン保持具は、イヤホンを保持するイヤホン保持具に於いて、一端開口の収納部が弾性筒体或いは弾性袋体のいずれかに形成され、該弾性筒体或いは弾性袋体の周壁に、少なくとも前記イヤホンのヘッド用差し込み部を形成し、該イヤホンのヘッド用差し込み部に一対のヘッドを差し込み、かつ前記周壁の外側で、前記イヤホンのコードを束ねるようにして前記周壁の収納部に入れることを特徴とする。
【０００８】
上記構成に於いて、弾性筒体或いは弾性袋体は、一端開口の反対側が有底であり、前記一端開口の直径は、少なくとも弾性筒体或いは弾性袋体の周壁の中央部のそれよりも小さいことを特徴とする。また弾性筒体或いは弾性袋体の一端開口の端部に、該一端開口を閉じる方向に閉めつける紐状手段、或いは面状の雄雌係着手段、ホック式の雄雌係着手段のいずれかが設けられていることを特徴とする。さらに、少なくとも一対のヘッドを周壁の内部に差し込み部を介して挿入した時、前記一対のヘッドを収納する収納部分が、コードを収納する収納部分に対して区画されていることを特徴とする。加えて、周壁に、少なくとも３個以上のスリットをそれぞれ分離して形成し、少なくとも左右一対のヘッドを、周壁の外側から各スリットをそれぞれ介して該周壁の内部としての収納部に入れることを特徴とする。ここで「コードを束ねるようにして」とは、開放状態からたくし込む、或いは折り込む、或いはまとめるような状態にすることをいう。
【考案の効果】
【０００９】
以上の説明から明らかなように、本考案にあっては次に列挙する効果が得られる。
（ａ）請求項１に記載の考案は、安価に製作できる、コードの収納並びに開放が簡単である、及びコードのみならずヘッド（スピーカー）と共にプラグも保護することができる。また構造がシンプルな弾性体なので、ポケットに入れても嵩張らない。
（ｂ）請求項２に記載の考案は、弾性筒体或いは弾性袋体は、コードの残余部（収納した部分）が、周壁の開口縁から極力抜け出ないようにすることができる。
（ｃ）請求項３に記載の考案は、弾性筒体或いは弾性袋体の開口の端部に、該開口を閉じる方向に閉めつける紐状手段或いは、面状の雄雌係着手段、ホック式の雄雌係着手段のいずれかが設けられているので、収納時、コードの残余部（収納した部分）が、周壁の開口縁から食み出ない。
（ｄ）請求項４に記載の考案は、収納時、ヘッド及びプラグがコードの残余部（収納した部分）と絡まない。したがって、少なくともコードとヘッドをスムースにイヤホン保持具から外すことができる。そして、イヤホンの使用時、イヤホン保持具のみをポケットに入れても、材質自体により弾性変位するので、嵩張らない。
（ｅ）請求項５に記載の考案は、少なくともコードの残余部（収納した部分）のみならず、一対のヘッドも保護することができる。
【図面の簡単な説明】
【００１０】
１乃至８は本考案の第１実施形態の各説明図。図９ないし図１１は本考案の第２実施形態の各説明図。図１２及び図１３は本考案の第３実施形態の各説明図。図１４及び図１５は本考案の第４実施形態の各説明図である。
【図１】第１実施形態の正面視からの斜視図。
【図２】図１の２−２線概略断面図。
【図３】市販のイヤホンの一例を示す説明図。
【図４】ヘッドをヘッド用差し込み部に差し込む概略説明図（実施形態では周壁の外側から差し込む方式）。
【図５】プラグを周壁の挟持部に差し込む概略説明図（実施形態では周壁の外側から差し込む方式）。
【図６】図４及び図５の後、イヤホンのコードが周壁の外側に開放している状態を示す概略説明図。
【図７】図６に於いて、イヤホンのコードをまとめた（たくし込む、折り込んだ等）状態を示す概略説明図。
【図８】収納時の概略断面説明図。
【図９】第２実施形態の正面視からの斜視図。
【図１０】プラグをプラグ用差し込み部に差し込む概略説明図（実施形態では周壁の外側から差し込む方式）。
【図１１】ヘッドのみならず「プラグも」コードの残余部と共に収納部に収納した概略説明図。
【図１２】第３実施形態の正面視からの斜視図（紐状手段の一例を示す）。
【図１３】図８と同様であるが、一端開口を紐状手段で閉じた状態の収納時の概略断面説明図。
【図１４】第４実施形態の概略断面説明図（収納前）。
【図１５】ヘッド、プラグ、コードの残余部を全て収納した状態の概略断面説明図。
【図１６】ヘッド用差し込み部４、スリット５の形成位置、形状、方向、大きさなどは、適宜に設計変更しても良い旨の図１と同様の斜視図。
【図１７】図１６に於いて、図８と同様にイヤホンを保持した概略断面説明図。
【考案を実施するための形態】
【００１１】
以下、図１乃至面８に示す本考案の第１実施形態実施により、本考案を詳細に説明する。なお、図３は本発明の特定要件ではない。すなわち、本発明の特定要件は図１及び図２に示す構成であり、イヤホンＹは考案の必須要件ではない。
図１及び図２は本考案の第１実施形態のイヤホン保持具Ｘである。一方、図３はこのイヤホン保持具Ｘによって保持される市販のイヤホンＹである。市販のイヤホンＹは、例えば扁平型携帯端末、小型の携帯録音器具等のポケットタイプ機器用に使用されるものである。
【００１２】
周知のように、イヤホンＹは、マグネット、振動膜、回路基板等を内蔵し、かつ人の耳に嵌め込まれる一対のヘッド部１１、プラグ１２、このプラグ１２と前記ヘッド１１を接続する所要長のコード１３とから成る。そして、前記ヘッド部１１は、その形状に多少の相違点はあるものの、前面に多数の小孔を有するやや扁平状の耳差し込み部分１１ａと、この耳差し込み部分の後面に短杆状に延在するコード端接続部１１ｂを有している。
本考案のイヤホン保持具Ｘは、少なくとも前記イヤホンＹの一対のヘッド部１１の耳差し込み部分１１ａ及びコード端接続部１１ｂに接続された一部１３ａを除く残余部１３ｂが束ねられたコード１３を一端開口２の収納部３に全部或いは略収納された状態で保持することができる。
【００１３】
すなわち、イヤホン保持具Ｘは、図面で示すように一端開口２の収納部３が弾性筒体（本実施形態）或いは弾性袋体のいずれかに形成され、該弾性筒体或いは弾性袋体の周壁１に、少なくとも一対のヘッド用差し込み部４、４を形成されている。
そして、前述したイヤホンＹのコード１３の残余部１３ｂをたくし込む、或いは折り込む、或いは又まとめるようにして前記周壁１の外から該周壁の内部としての収納部に入れることができる。（図７及び図８を参照）。
【００１４】
一対のヘッド用差し込み部４、４は、例えば正面視プラス形状のスリット４ａで出来ている。さらに、前記周壁１には、イヤホンＹのプラグ１２を挟持することができるプラグ用挟持部５が設けられている。このプラグ用挟持部５は、前記ヘッド用差し込み部４、４と同様にスリット５ａであるが、正面視プラス形状ではなく、正面視マイナス形状のスリット５ａで出来ている。
【００１５】
すなわち、プラグ用挟持部５は、例えば周壁１の略中央部或いは中央部寄りの部位に、その周方向に上下に所要間隔を有して形成された２本のスリット５ａ、５ａであり、これらのスリット５ａ、５ａにプラグ１２の小径のピン状先端部１２ａを差し込むことにより、スリット５ａ、５ａが形成された付近の周壁１の外面とプラグ用挟持部５の内面の両方で弾性挟持することができる。
【００１６】
上記の構成に於いて、イヤホン保持具ＸとイヤホンＹは、全く別個の部材である。したがって、イヤホン保持具Ｘのみを実施（展示、製造、販売等）をしても侵害と成り得る。そこで、イヤホン保持具Ｘを使用しない場合には、袋物、ポケット等の所望する箇所に入れ、一方、イヤホンＹのプラグ１２を携帯端末等のジャックに差し込んで使用することができる。
【００１７】
さて、前記イヤホンＹを保護したい場合には、イヤホン保持具Ｘを袋物、ポケット等から取り出し、まず図４で示すように、少なくとも左右一対のヘッド１１を、周壁１の外側から各スリット４ａをそれぞれ介して該周壁１の内部としての収納部３に入れる。この時、スリット４ａが形成された箇所は、ヘッド用差し込み部４、４となるので、スリット４ａ、４ａの切欠態様によって、複数の切欠縁部分が内部方向へ弾性変位する。実施形態では、前記各スリット４ａの切欠態様は、例えば「正面視プラス形状」なので、扁平状の耳差し込み部分１１ａに押された切欠縁部分４が、それぞれ材質自体の弾性力に抗して内側に弾性変位し、ヘッド１１の通過を許容する。ヘッド１１が周壁１の差し込み部４を通過すると、つまり、各スリット４ａを摺り抜けると、内側に弾性変位した差し込み部４は元の位置へと弾性復帰する。
【００１８】
したがって、イヤホン保持具Ｘは、それ自体の形態を保持する形態保持機能、弾性変位機能及び弾性変位復帰機能を有する材質（例えばウエットスーツ等に使用されているジャージーオペロン素材、適宜な合成樹脂材など）で、一端開口２を有する筒状体に形成され、望ましくは、一端開口２の反対側が有底であり、前記開口２の直径は、少なくとも弾性筒体或いは弾性袋体の周壁１の中央部のそれよりも小さい。付言すると、その全体の形態は、例えば一端開口の上端部１ａが搾り込まれた壺形状、中央部が半径外方向に膨らんだコップ形状等である。
【００１９】
次に図５で示すように、プラグ１２の小径のピン状先端部１２ａを上方のスリット５ａから下方の５ａへと差し込む。これによりプラグ１２はスリット５ａ、５ａが形成された付近の周壁１の外面とプラグ用挟持部５の内面の両方で弾性的に挟持される。前記プラグ用挟持部５の周方向の長さ及び上下方向の幅寸法は、ピン状先端部１２ａの外径を考慮して設定されている。実施形態では、ピン状先端部１２ａを周壁１の外側からプラグ用挟持部５に差し込む方式なので、該プラグ用挟持部５にピン状先端部１２ａを差し込むと、プラグ用挟持部５は、弾性力に抗してやや弧状に突出する。なお、ヘッド用差し込み部４、４とプラグ用挟持部５のいずれを先に使用するかは、ユーザが選択する事項である。つまり、最初にプラグ用挟持部５にプラグ１２を差し込んだ後、ヘッド用差し込み部４、４に左右一対のヘッド１１をそれぞれ差込んでも良い。
【００２０】
上記の如く、周壁１のヘッド用差し込み部４、４に左右一対のヘッド１１をそれぞれ差し込むと共に、プラグ用挟持部５にプラグ１２を差し込むと、コード１３はそれ自体の弾性力により、周壁１の外側に開放状態となる。そこで、図７で示すようにコード１３の残余部１３ｂを束ねるようにし、図８で示すように周壁１の収納部３に入れる。この時、望ましくは、周壁１の上端部１ａは、半径内方向に湾曲状或いは曲率が「きつく」絞られているので、その内面で束ねられたコード１３は抜けないように保持される。
【実施例】
【００２１】
実施形態では、一対のヘッド用差し込み部４、４は、例えば正面視プラス形状のスリット４ａを、周壁１の周方向に所定間隔を有して合計２個形成しているが、その数は「単数」であっても良い。このような実施形態の場合には、一つのスリット４ａに一対のヘッドを差し込むので、この一つのスリット４ａを「人の口」の如く外拡変位するように形成するのが好ましい。この場合前記一つのスリット４ａに一対のヘッドと共にブラグを一緒に差し込んでも良い。
【００２２】
したがって、ヘッド用差し込み部４のスリット４ａの形成箇所、形状、方向、大きさは、考案の課題を逸脱しない範囲で任意に設計変更することができる。実施形態では、ヘッド用差し込み部４のスリット４ａは、「正面視プラス形状」であるが、例えば「正面視Ｙ形状」、「その中心に小さな孔を形成し、該小孔の周縁部分に単数又は複数のスリットを半径外方向に形成したもの」、その他これらに類する形状であっても良い。
【００２３】
またプラグ用挟持部５は有っても、無くても良いが、プラグ用挟持部５を設けた場合には、そのスリット５ａの形成位置、形状、方向、大きさは、ヘッド用差し込み部４と同様に考案の課題を逸脱しない範囲で任意に設計変更することができる。例えばスリット５ａ、５ａの方向を縦や斜めにすることもできるが、望ましくは実施形態の如く縦方向にすると、プラグ１２は周壁１の外面にぴったりと添設状態となる。
【００２４】
以下、この欄では、本考案の第２実施形態乃至第４実施形態を説明する。なお、他の実施形態の説明に当って、第１実施形態と同一の部分には同一又は同様の符号を付して重複する説明を割愛する。
【００２５】
まず、図９ないし図１１は本考案の第２実施形態のイヤホン保持具Ｘ１の各説明図である。このイヤホン保持具Ｘ１が第１実施形態のそれと主に異なる事項は、プラグ１２も一対のヘッド１１と同様に周壁１Ａの外側から内部へと差し込まれ、ヘッド１１、プラグ１２及びコード１３の残余部１３ｂを収納部３にそれぞれ収納した点である。したがって、プラグ用挟持部５は、「プラグ用差し込み部５Ａ」と成り、その形状は、例えば「正面視マイナス形状」である。
【００２６】
次に、図１２及図１３は本考案の第３実施形態のイヤホン保持具Ｘ２の各説明図である。この第３実施形態が第１実施形態と主に異なる事項は、弾性筒体或いは弾性袋体としての周壁１Ｂ（実施形態）のいずれかの開口２の端部（周壁の上端部）１ａに、該開口２を閉じる方向に閉めつける紐状手段７を設けた点である。つまり、イヤホン保持具Ｘ２は、いわゆる巾着型である点である。なお、前記紐状手段７（実施形態）に替えて、図示しない周知の面状の雄雌係着手段やホック式の雄雌係着手段にしても良い。
【００２７】
最後に、図１４及図１５は本考案の第４実施形態のイヤホン保持具Ｘ３の各説明図である。この第４実施形態が第１実施形態と主に異なる事項は、少なくとも、一対のヘッド１１を周壁１の内部に差し込み部４を介して挿入した時、前記一対のヘッド１１を収納する第２の収納部分８が、コードを収納する第１の収納部分９に対して区画されている点である。つまり、第１実施形態の収納部３が、コードを収納する第１の収納部分９と、この収納部分９より小さめの第２の収納部分８に区別されている。このように構成すると、収納部分９に収納されたコード１３の残余部１３ｂと、少なくとも一対のヘッド１１が互いに絡み合わないので、前記一対のヘッド１１及び残余部１３ｂを素早くイヤホン保持具Ｘ３から外すことができる。なお、この実施形態に於いて、プラグ１２も一対のヘッド１１と同様に周壁１の外側から内部へと差し込み、前記第２の収納部分８に収納することができる。
【００２８】
なお、本考案の第３実施形態及び第４実施例は、説明の便宜上、第１実施例を一例にして対比したが、これらの各実施例に於いても、第２実施例と同様に周壁に少なくとも一つのスリットを形成し、該スリットにプラグ１２を差し込んでも良く、また、特に図示しないが、ヘッド用の差し込み部に一対のヘッド１１と共にブラグ１２を一緒に差し込んでも良い。
【００２９】
またイヤホン保持具の形態を袋状に形成する、一端開口の径を実施形態のものよりもさらに狭くする、イヤホン保持具の周壁を底部から一端開口に向かって水平状の蛇腹状にする、底部を摺り鉢形状にする等、本考案をベースとして種々の改良を加えても良い。
【産業上の利用可能性】
【００３０】
本考案のイヤホン保持具は、携帯端末、携帯録音器具等のポケットタイプ機器用の一対のヘッド及びコードを収納することができる。
【符号の説明】
【００３１】
Ｘ、Ｘ１、Ｘ２、Ｘ３…イヤホン保持具、
Ｙ…イヤホン、
１、１Ａ、１Ｂ…周壁（弾性筒体或いは弾性袋体）、
１ａ…周壁１の上端部、
２…一端開口、
３…収納部、
４…一対のヘッド用差し込み部、
４ａ…スリット、
５、５Ａ…プラグ用挟持部、
５ａ…スリット、
８…第２の収納部分、
９…第１の収納部分、
１１…ヘッド、
１１ａ…耳差し込み部分、
１１ｂ…コード端接続部
１２…プラグ、１２ａ…ピン状先端部、
１３…コード、
１３ｂ…コードの残余部。
【図１】
0003204042.tif 000003
【図２】
0003204042.tif 000004
【図３】
0003204042.tif 000005
【図４】
0003204042.tif 000006
【図５】
0003204042.tif 000007
【図６】
0003204042.tif 000008
【図７】
0003204042.tif 000009
【図８】
0003204042.tif 000010
【図９】
0003204042.tif 000011
【図１０】
0003204042.tif 000012
【図１１】
0003204042.tif 000013
【図１２】
0003204042.tif 000014
【図１３】
0003204042.tif 000015
【図１４】
0003204042.tif 000016
【図１５】
0003204042.tif 000017
【図１６】
0003204042.tif 000018
【図１７】
0003204042.tif 000019